【手続補正書】
【提出日】平成20年4月30日(2008.4.30)
【手続補正１】
【補正対象書類名】明細書
【補正対象項目名】特許請求の範囲
【補正方法】変更
【補正の内容】
【特許請求の範囲】
【請求項１】  遊技媒体を用いて遊技者が所定の遊技を行うことが可能であり、遊技により払出条件が成立したことに基づいて景品として景品遊技媒体を払い出し、かつ、遊技媒体の貸出条件が成立したことに基づいて貸遊技媒体を払い出す遊技機であって、
遊技の進行を制御する遊技制御手段と、
景品遊技媒体および貸遊技媒体の払出を行なう払出手段と、
該払出手段を制御する払出制御手段と、
前記払出手段から払出された遊技媒体を計数するために設けられた検出手段であって、景品遊技媒体および貸遊技媒体の両方を共に検出する兼用の遊技媒体検出手段と、
人為的操作に応じてエラー解除信号を出力するエラー解除操作手段とを備え、
前記遊技制御手段と前記払出制御手段とが双方向通信を行い、
前記遊技制御手段は、
前記払出条件の成立に基づいて払出される景品遊技媒体の数を特定可能な情報を記憶する払出数記憶手段と、
該払出数記憶手段に記憶されている払出数に基づいて前記払出制御手段に対し所定数の景品遊技媒体の払出数を特定可能な払出指令信号を出力する払出指令信号出力手段と、
前記払出数記憶手段に記憶されている払出数から前記払出指令信号で特定される払出数を減算する減算処理を行なう払出記憶数減算手段とを含み、
前記払出制御手段は、
前記払出検出手段からの払出検出信号にもとづいて前記払出手段が景品遊技媒体の払い出しを行ったにもかかわらず払い出された景品遊技媒体数が払出予定数に満たなかったことを検出したときに、不足分の景品遊技媒体を払い出すためのリトライ動作を前記払出手段に実行させる補正払出制御を行う払出補正手段と、
前記払出補正手段による補正払出制御が行われた後、払い出された景品遊技媒体数が未だ払出予定数に満たないことが検出されたときには、払い出しに関わる制御状態をエラー状態に移行させるエラー状態設定手段と、
前記エラー状態において前記エラー解除操作手段からエラー解除信号が出力されたことにもとづいて、前記払出補正手段に再度補正払出制御を行わせる補正払出制御再起動手段と、
前記払出指令信号出力手段により出力されてきた前記払出指令信号により特定される払出数の景品遊技媒体を前記払出手段を制御して払出させる払出処理を実行する景品遊技媒体払出制御手段と、
該景品遊技媒体払出制御手段による払出処理の開始に基づいて払出処理実行信号を前記遊技制御手段へ出力する払出処理実行信号出力手段とを含み、
前記払出記憶数減算手段は、前記払出処理実行信号出力手段から前記払出処理実行信号が出力されてきたと判定したとき前記減算処理を行ない、
前記払出処理実行信号の出力があるときに前記遊技媒体検出手段の検出信号を景品遊技媒体の検出信号として遊技機外部へ出力するための処理を行なう景品遊技媒体検出信号出力処理手段をさらに備えていることを特徴とする、遊技機。
【請求項２】  前記エラー状態設定手段は、前記払出補正手段があらかじめ決められている所定回を限度として補正払出制御を行った後、払い出しに関わる制御状態をエラー状態に移行させる
請求項１記載の遊技機。
【請求項３】  前記払出制御手段は、前記補正払出制御再起動手段が前記払出補正手段に再度補正払出制御を行わせるときに、一旦エラー状態を解除する
請求項１または請求項２記載の遊技機。
【請求項４】  前記払出手段から払い出された遊技媒体の数が払出予定数に満たないエラー状態の発生を報知する払出過小報知手段を備え、
前記払出過小報知手段は、補正払出制御が行われているときには報知を行わず、前記エラー状態設定手段が払い出しに関わる制御状態をエラー状態に移行させた後に報知を行う
請求項１から請求項３のうちのいずれかに記載の遊技機。
【請求項５】  前記払出制御手段は、
前記払出手段の動作状態を監視する駆動状態監視手段を含み、
前記エラー状態設定手段は、前記駆動状態監視手段が前記払出手段の動作不良を検出したときにも、払い出しに関わる制御状態をエラー状態に移行させる
請求項１から請求項４のうちのいずれかに記載の遊技機。
【請求項６】  遊技媒体を遊技領域に向けて発射する発射手段を備え、
前記払出制御手段は、前記発射手段を駆動するための駆動信号の出力制御を行う発射制御手段と、遊技媒体の払い出しに関わるエラーの発生を検出したときに、前記発射手段の駆動を停止させる駆動禁止手段とを含む
請求項１から請求項５のうちいずれかに記載の遊技機。
【請求項７】  前記払出補正手段は、前記リトライ動作により前記不足分の遊技媒体の払い出しが前記払出検出手段により検出されたときに前記リトライ動作を解除させる
請求項１から請求項６のうちいずれかに記載の遊技機。
【請求項８】  遊技機に用いられる所定の電源の状態を監視して、遊技機への電力の供給停止に関わる検出条件が成立したときに検出信号を出力する電源監視手段をさらに備え、
前記遊技制御手段は、プログラムによって動作するセントラルプロセッシングユニットと、外部からの信号が入力される入力ポートとを含み、前記電源監視手段からの検出信号が前記入力ポートに入力され、前記セントラルプロセッシングユニットが該入力ポートに前記検出信号が入力されていることを判別したときに、遊技の進行を制御する状態から遊技状態を保存させるための電力供給停止時処理を実行する状態に移行する
請求項１から請求項７のうちいずれかに記載の遊技機。
【請求項９】  遊技機に用いられる所定の電源の状態を監視して、遊技機への電力の供給停止に関わる検出条件が成立したときに検出信号を出力する電源監視手段をさらに備え、
前記遊技制御手段は、前記電源監視手段から出力される検出信号に応じて、遊技の進行を制御する状態から遊技状態を保存させるための電力供給停止時処理を実行する状態に移行するとともに、該電力供給停止時処理を実行した後に前記検出信号の状態を判定し、電力供給が行われている旨の判定がなされたときには、遊技の進行を制御する状態に戻る
請求項１から請求項７のうちいずれかに記載の遊技機。
【請求項１０】  遊技機に用いられる所定の電源の状態を監視して、遊技機への電力の供給停止に関わる検出条件が成立したときに検出信号を出力する電源監視手段をさらに備え、
前記電源監視手段が、前記遊技制御手段が設けられている遊技制御基板に搭載され、
該遊技制御基板には電力供給が所定期間停止したときであっても記憶内容が保持されるバックアップＲＡＭが搭載されている
請求項１から請求項７のうちいずれかに記載の遊技機。
【手続補正２】
【補正対象書類名】明細書
【補正対象項目名】００１３
【補正方法】変更
【補正の内容】
【００１３】
本発明は、係る実情に鑑み考え出されたものであり、その目的は、払い出された遊技媒体の不足に起因するエラーが発生した場合に、未払出の遊技媒体数を示す情報をクリアせず遊技媒体の払出の処理を確実に実行することができ、かつ、遊技媒体を何度も繰返し払出させるという不正行為の実行を防止することができるとともに、遊技媒体検出手段の検出信号が景品遊技媒体の検出信号であるか否かを判定するための判定処理の負担を軽減することのできる遊技機を提供することである。
【手続補正３】
【補正対象書類名】明細書
【補正対象項目名】００１４
【補正方法】変更
【補正の内容】
【００１４】
【課題を解決するための手段の具体例およびその効果】
（１）  遊技領域に発射される遊技媒体を用いて遊技者が所定の遊技を行うことが可能であり、遊技により払出条件（打玉の入賞）が成立したことに基づいて景品として景品遊技媒体（景品玉、景品コイン）を払出し、かつ、遊技媒体の貸出条件（カードユニット５０からのＢＲＱ信号の立下がり）が成立したことに基づいて貸遊技媒体を払出す遊技機であって、
遊技の進行を制御する遊技制御手段（主基板３１）と、
景品遊技媒体および貸遊技媒体の払出を行なう払出手段（例えば球払出装置９７）と、
該払出手段を制御する払出制御手段（例えば払出制御用ＣＰＵ３７１等）と、
前記払出手段から払出された遊技媒体を計数するために設けられた検出手段であって、景品遊技媒体および貸遊技媒体の両方を共に検出する兼用の遊技媒体検出手段（例えば払出カウントスイッチ３０１）と、
人為的操作に応じてエラー解除信号（例えば操作に応じた操作信号）を出力するエラー解除操作手段（例えばエラー解除スイッチ３７５）とを備え、
前記遊技制御手段と前記払出制御手段とが双方向通信を行い（図２４）、
前記遊技制御手段は、
前記払出条件の成立に基づいて払出される景品遊技媒体の数を特定可能な情報を記憶する払出数記憶手段（ＲＡＭ５５における総賞球数格納バッファ：Ｓ２１９）と、
該払出数記憶手段に記憶されている払出数に基づいて前記払出制御手段に対し所定数の景品遊技媒体の払出数を特定可能な払出指令信号（払出個数信号）を出力する払出指令信号出力手段（Ｓ２３２に従って動作するＣＰＵ５６，出力回路６７）と、
前記払出数記憶手段に記憶されている払出数から前記払出指令信号で特定される払出数を減算する減算処理を行なう払出記憶数減算手段（Ｓ２６５に従って動作するＣＰＵ５６）とを含み、
前記払出制御手段は、
前記払出検出手段からの払出検出信号にもとづいて前記払出手段が遊技媒体の払い出しを行ったにもかかわらず払い出された遊技媒体数が払出予定数に満たなかったことを検出したときに、不足分の遊技媒体を払い出すためのリトライ動作を前記払出手段に実行させる補正払出制御を行う払出補正手段（例えば払出制御手段におけるステップＳ６５３〜Ｓ６６５を実行する部分）と、
前記払出補正手段による補正払出制御が行われた後、払い出された遊技媒体数が未だ払出予定数に満たないことが検出されたときには（例えばステップＳ６６１の判定でＹ）、払い出しに関わる制御状態をエラー状態に移行させるエラー状態設定手段（例えば払出制御手段におけるステップＳ６６６を実行する部分）と、
前記エラー状態において前記エラー解除操作手段からエラー解除信号が出力されたことにもとづいて、前記払出補正手段に再度補正払出制御を行わせる補正払出制御再起動手段（例えば払出制御手段におけるステップＳ６７２，Ｓ６７７Ａ〜Ｓ６７７Ｅを実行する部分）と、
前記払出指令信号出力手段により出力されてきた前記払出指令信号により特定される払出数の景品遊技媒体を前記払出手段を制御して払出させる払出処理を実行する景品遊技媒体払出制御手段（Ｓ５４６、Ｓ７５６のプログラムに従って動作する払出制御用ＣＰＵ３７１）と、
該景品遊技媒体払出制御手段による払出処理の開始に基づいて払出処理実行信号（ＢＵＳＹ信号）を前記遊技制御手段へ出力する払出処理実行信号出力手段（Ｓ５４７のプログラムに従って動作する払出制御用ＣＰＵ３７１、出力回路３７３Ｂ）とを含み、
前記払出記憶数減算手段は、前記払出処理実行信号出力手段から前記払出処理実行信号が出力されてきたと判定したとき（Ｓ２６１によりＹＥＳの判断がなされＳ２６３によりＹＥＳの判断がなされたとき）前記減算処理を行ない（Ｓ２６５により減算処理を行なう）、
前記払出処理実行信号の出力があるときに前記遊技媒体検出手段の検出信号を景品遊技媒体の検出信号として遊技機外部へ出力するための処理を行なう景品遊技媒体検出信号出力処理手段（ＡＮＤ回路３７６、賞球カウント信号を外部出力するための配線パターン等）をさらに備えていることを特徴とする。
【手続補正４】
【補正対象書類名】明細書
【補正対象項目名】００１５
【補正方法】変更
【補正の内容】
【００１５】
このような構成によれば、遊技機を、払出制御手段が、払出検出手段からの払出検出信号にもとづいて、払出手段が遊技媒体の払い出しを行ったにもかかわらず払い出された遊技媒体数が払出予定数に満たなかったことを検出したときに、不足分の遊技媒体を払い出すためのリトライ動作を払出手段に実行させる補正払出制御を行う払出補正手段と、払出補正手段による補正払出制御が行われた後、払い出された遊技媒体数が未だ払出予定数に満たないことが検出されたときには、払い出しに関わる制御状態をエラー状態に移行させるエラー状態設定手段と、エラー状態においてエラー解除操作手段からエラー解除信号が出力されたことにもとづいて、払出補正手段に再度補正払出制御を行わせる補正払出制御再起動手段とを含むように構成したので、払い出された遊技媒体の不足に起因するエラーが発生した場合に、未払出の遊技媒体数を示す情報をクリアせず遊技媒体に払出の処理を確実に実行することができ、遊技者に不利益を与えないようにすることができる。
【手続補正５】
【補正対象書類名】明細書
【補正対象項目名】００１６
【補正方法】変更
【補正の内容】
【００１６】
また、払出処理実行信号出力手段から払出処理実行信号が出力されてきたと判定した時点で払出記憶数減算手段が減算処理を行なうために、景品遊技媒体の払出処理の実行開始時に払出数記憶手段に記憶されている払出数から払出指令信号で特定される払出数が減算されることとなり、払出処理中に仮に払出制御手段の電源がオフにされてもその時点では既に払出数の記憶が減算された後であるために、繰返し景品遊技媒体を払出す動作を実行することがなく、不正行為の実行を防止することができる。
【手続補正６】
【補正対象書類名】明細書
【補正対象項目名】００１７
【補正方法】変更
【補正の内容】
【００１７】
また、景品遊技媒体払出制御手段による景品遊技媒体の払出処理の実行時に出力される払出処理実行信号の出力があるときに遊技媒体検出手段の検出信号が外部出力されるため、検出信号が景品遊技媒体に関するものかあるいは貸遊技媒体に関するものかの判定処理が不要となり、判定処理負担が軽減される。
【手続補正７】
【補正対象書類名】明細書
【補正対象項目名】００１８
【補正方法】変更
【補正の内容】
【００１８】
（２）  前記エラー状態設定手段は、前記払出補正手段があらかじめ決められている所定回（例えば２回）を限度として補正払出制御を行った後、払い出しに関わる制御状態をエラー状態に移行させる（例えばステップＳ６６１，Ｓ６６６の処理）。
【手続補正８】
【補正対象書類名】明細書
【補正対象項目名】００２０
【補正方法】変更
【補正の内容】
【００２０】
（３）  前記払出制御手段は、前記補正払出制御再起動手段が前記払出補正手段に再度補正払出制御を行わせるときに、一旦エラー状態を解除する（例えばステップＳ６７７の処理）。
【手続補正９】
【補正対象書類名】明細書
【補正対象項目名】００２２
【補正方法】変更
【補正の内容】
【００２２】
（４）  前記払出手段から払い出された遊技媒体の数が払出予定数に満たないエラー状態の発生を報知する払出過小報知手段（例えばエラー表示用ＬＥＤ３７４）を備え、
前記払出過小報知手段は、補正払出制御が行われているときには報知を行わず、前記エラー状態設定手段が払い出しに関わる制御状態をエラー状態に移行させた後に報知を行う（Ｓ７６５のサブルーチンの中のＳ６６１によりＹＥＳと判断されてＳ６６６エラービットセットがなされた後Ｓ７５９による報知がなされる：図５４参照）。
【手続補正１０】
【補正対象書類名】明細書
【補正対象項目名】００２４
【補正方法】変更
【補正の内容】
【００２４】
（５）  前記払出制御手段は、
前記払出手段の動作状態を監視する駆動状態監視手段（ステップＳ５２４のプログラムに従って動作する払出制御用ＣＰＵ３７１、特に、図４９に例示された球噛み判定の処理）を含み、
前記エラー状態設定手段は、前記駆動状態監視手段が前記払出手段の動作不良（例えば球噛み）を検出したときにも、払い出しに関わる制御状態をエラー状態に移行させる。
【手続補正１１】
【補正対象書類名】明細書
【補正対象項目名】００２６
【補正方法】変更
【補正の内容】
【００２６】
（６）  遊技媒体を遊技領域に向けて発射する発射手段（例えば発射モータ９４を含む打球発射装置）を備え、
前記払出制御手段は、前記発射手段を駆動するための駆動信号の出力制御を行う発射制御手段（ステップＳ５１１〜Ｓ５１８のプログラムに従って動作する払出制御用ＣＰＵ３７１）と、遊技媒体の払い出しに関わるエラーの発生を検出したときに、前記発射手段の駆動を停止させる駆動禁止手段（ステップＳ５１３（または図５１に示されたエラーが発生した旨の判定），Ｓ５１８のプログラムに従って動作する払出制御用ＣＰＵ３７１）とを含む。